(57)【要約】【課題】排気ダクトが先上がり状に施工された場合でも、排気ダクト内で発生した結露水が本体ケーシング内に流れ込むのを抑制し得る浴室乾燥機を提供する。【解決手段】吸込口３を備えたグリル部２を着脱自在に下部に備え且つ排気ダクト５を連通接続するためのダクト接続部Ｅを側部に備えた本体ケーシング１と、本体ケーシング１内に配設されて、吸込口３から吸い込んだ空気をダクト接続部Ｅを通して本体ケーシング１外に排出する排気ファン７とを備えた浴室乾燥機であって、ダクト接続部Ｅに、水Ｗが本体ケーシング１の内方側に流動するのを阻止する水止め部Ｄが設けられている。【選択図】図２
2013183872.tif 000002
【特許請求の範囲】
【請求項１】
吸込口を備えたグリル部を着脱自在に下部に備え且つ排気ダクトを連通接続するためのダクト接続部を側部に備えた本体ケーシングと、
前記本体ケーシング内に配設されて、前記吸込口から吸い込んだ空気を前記ダクト接続部を通して前記本体ケーシング外に排出する排気ファンとを備えた浴室乾燥機であって、
前記ダクト接続部に、水が前記本体ケーシングの内方側に流動するのを阻止する水止め部が設けられている浴室乾燥機。
【請求項２】
前記水止め部から前記本体ケーシングの内方側に溢れた水を前記本体ケーシング内に流動させる拡散流動体が、前記本体ケーシングの内側面から内方側に突出する状態で設けられ、
その拡散流動体が、前記水止め部から溢れた水を、水平面又は前記本体ケーシングの内方側ほど下位となる形態で傾斜する傾斜面に沿って拡散流動させるように構成されている請求項１に記載の浴室乾燥機。
【請求項３】
前記拡散流動体が、上下方向に貫通する多数の孔を備えた多孔状に構成されている請求項２に記載の浴室乾燥機。
【請求項４】
前記本体ケーシングの側部に、排気口が設けられ、
前記ダクト接続部が、内部が前記排気口に連通する状態で前記本体ケーシングの側部に備えられて、前記排気ダクトを連通接続するダクト接続口を側部に備えた箱状の排気導風ボックスにて構成され、
前記排気導風ボックスの底面が、平面状に構成され、
前記水止め部が、長手方向を前記排気口からの空気の通風方向に交差する方向に沿わせた姿勢で、前記底面上に設けられた棒状の堰き止め体にて構成され、
前記堰き止め体の上部が、前記堰き止め体の長手方向に沿って凹凸状になるように構成されている請求項２又は３に記載の浴室乾燥機。
【請求項５】
前記排気口に、その排気口を開閉可能なシャッタが設けられ、
前記堰き止め体が、前記シャッタに対して前記通風方向の下流側近傍に位置させて設けられている請求項４に記載の浴室乾燥機。
【請求項６】
前記グリル部に、吹出口が備えられ、
前記本体ケーシング内に、前記吸込口から吸い込んだ空気を前記吹出口から吹き出すように通風作用する循環ファン、及び、前記循環ファンにより通風される空気を加熱する暖房用加熱手段が設けられている請求項１〜５のいずれか１項に記載の浴室乾燥機。
【発明の詳細な説明】
【技術分野】
【０００１】
本発明は、吸込口を備えたグリル部を着脱自在に下部に備え且つ排気ダクトを連通接続するためのダクト接続部を側部に備えた本体ケーシングと、前記本体ケーシング内に配設されて、前記吸込口から吸い込んだ空気を前記ダクト接続部を通して前記本体ケーシング外に排出する排気ファンとを備えた浴室乾燥機に関する。
【背景技術】
【０００２】
かかる浴室乾燥機は、グリル部が下面となる姿勢で浴室の天井に配設されて、排気ファンの通風作用により、浴室内の湿った空気を吸込口から吸い込んで排気ダクトを通して屋外に排出することにより、浴室内を換気して乾燥するものである。つまり、排気ファンが作動されると、浴室の扉に設けたギャラリー等から、脱衣室等、浴室に隣接する部屋の空気が浴室内に流れ込んで、浴室内が換気されることになる。
【０００３】
排気ダクトは、例えば、蛇腹状で可撓性を有するアルミ製の筒状体にて構成され、浴室の天井裏を這わして先端を外壁等から屋外に臨ませるように施工される。
そして、このような排気ダクトは一般に断熱性が低く、しかも、天井裏等、排気ダクトが配置される空間は浴室内よりも温度が低いので、入浴中等、浴室内が高温高湿のときに排気ファンを作動させる運転が行われると、浴室内から吸い込まれた高温高湿の空気が排気ダクトを通流する間に、その空気中の水分が結露し易い。
そこで、排気ダクト内で発生した結露水が本体ケーシング内に流動するのを防止するために、通常は、排気ダクトを先下がり状（即ち、基端部分よりも先端部分の方が低位となる状態）に施工するようになっているが、施工場所によっては、必ずしも、排気ダクトを先下がり状に施工することができない場合があり、排気ダクトが先上がり状（即ち、基端部分よりも先端部分の方が高位となる状態）に施工される場合がある。
【０００４】
そして、排気ダクトが先上がり状に施工されると、排気ダクト内で発生した結露水が排気ダクトを本体ケーシング側に流動してダクト接続部から本体ケーシング内に流れ込み、本体ケーシング内、例えば、グリル部の裏面に滴下する場合がある。このようにグリル部の裏面に結露水が溜まっても、浴室の乾燥のための排気ファンを作動させる運転を行うと、基本的には、グリル部の裏面に溜まった結露水は乾くものであるが、このような浴室を乾燥させるため運転が行われないと、グリル部の裏面に溜まった結露水が完全に乾かない場合がある。そして、このように先に滴下した結露水が完全に乾いていない状態で次の結露水が滴下することが繰り返されると、グリル部の裏面に結露水に起因した水垢状の堆積物が生じることになる。
このような水垢状堆積物からは臭気が発生するので、この臭気が浴室内に流れ込んで、浴室の使用者に不快感を与える虞がある。
【０００５】
そこで、このような浴室乾燥機において、従来、排気ファンが、そのファンケースに設けられたファン吸込口を下向きに向け且つファン吐出口をダクト接続部に対して連通させた状態で、本体ケーシング内に配設される場合に、ファンケースの内面の下面部分に、ファンケース内上方に向けて突出するリブが、ファン吸込口の開口縁の内側を囲むように環状に設けられていた。そして、その環状のリブにより堰き止めることにより、排気ダクトから本体ケーシング内に流れ込んできた結露水をファンケースの内部に溜めることが可能なように構成されていた（例えば、特許文献１参照。）。
尚、排気ファンは、下面にファン吸込口を有し且つ側周面にファン吐出口を有するファンケースと、そのファンケース内に垂直方向の軸心回りに回転自在に支持されて、電動モータにより回転駆動される羽根体等を備えて構成され、その排気ファンが、上述のような姿勢で、本体ケーシング内に設けられていた。
【０００６】
この場合は、排気ダクト内で発生した結露水が排気ダクトを本体ケーシング側に流動して、ダクト接続部から本体ケーシング内に流れ込んできても、排気ファンのファンケース内に溜まるので、グリル部の裏面に水垢状堆積物が生じるのを抑制することができる。
【先行技術文献】
【特許文献】
【０００７】
【特許文献１】特開平１１−２２６２９７号公報
【発明の概要】
【発明が解決しようとする課題】
【０００８】
しかしながら、従来の浴室乾燥機では、排気ダクトが先上がり状に施工された場合に、排気ダクト内で発生した結露水が排気ダクトを本体ケーシング側に流動して、ダクト接続部から本体ケーシング内に流れ込んでくると、その結露水がグリル部の裏面に溜まるのは抑制できるものの、本体ケーシング内に設けられた排気ファンのファンケース内の下面上に溜まるので、ファンケース内の下面上に、結露水に起因した水垢状堆積物が生じる虞がある。
従って、排気ファンのファンケースは本体ケーシング内に設けられているので、ファンケース内の水垢状堆積物から発生する臭気が浴室内に流れ込むのを十分に抑制することができず、依然として、浴室の使用者に不快感を与える問題が残されていた。
【０００９】
本発明は、かかる実情に鑑みてなされたものであり、その目的は、排気ダクトが先上がり状に施工された場合でも、排気ダクト内で発生した結露水が本体ケーシング内に流れ込むのを抑制し得る浴室乾燥機を提供することにある。
【課題を解決するための手段】
【００１０】
本発明の浴室乾燥機は、吸込口を備えたグリル部を着脱自在に下部に備え且つ排気ダクトを連通接続するためのダクト接続部を側部に備えた本体ケーシングと、前記本体ケーシング内に配設されて、前記吸込口から吸い込んだ空気を前記ダクト接続部を通して前記本体ケーシング外に排出する排気ファンとを備えたものであって、
第１特徴構成は、前記ダクト接続部に、水が前記本体ケーシングの内方側に流動するのを阻止する水止め部が設けられている点にある。
【００１１】
即ち、排気ダクト内で発生した結露水が排気ダクトを本体ケーシング側に流動してきても、ダクト接続部に設けられている水止め部により、結露水が本体ケーシングの内方側に流動するのが阻止されるので、結露水が本体ケーシング内に流れ込むのを抑制することができる。その結果、排気ファンのファンケースの内部やグリル部の裏面等、本体ケーシング内に結露水に起因した水垢状堆積物が生じるのを抑制することができる。
従って、排気ダクトが先上がり状に施工された場合でも、排気ダクト内で発生した結露水が本体ケーシング内に流れ込むのを抑制し得る浴室乾燥機を提供することができる。
【００１２】
第２特徴構成は、上記第１特徴構成に加えて、
前記水止め部から前記本体ケーシングの内方側に溢れた水を前記本体ケーシング内に流動させる拡散流動体が、前記本体ケーシングの内側面から内方側に突出する状態で設けられ、
その拡散流動体が、前記水止め部から溢れた水を、水平面又は前記本体ケーシングの内方側ほど下位となる形態で傾斜する傾斜面に沿って拡散流動させるように構成されている点にある。
【００１３】
即ち、水止め部により留められる結露水の量が多くなって、発生した結露水の全量を水止め部により留められなくなると、結露水の一部が水止め部を溢れ、その溢れた水が拡散流動体により本体ケーシング内に導き入れられる。
そして、結露水は、拡散流動体を水平面又は本体ケーシングの内方側ほど下位となる形態で傾斜する傾斜面に沿って拡散流動することから、拡散流動体を流動する間に結露水の表面積が大きくなって、結露水が気化し易くなる。このことにより、拡散流動体から滴下する結露水が無いようにする、あるいは、滴下する結露水の量を少なくすることができるので、本体ケーシング内に結露水に起因した水垢状堆積物が生じるのを抑制することができる。ここで、拡散流動とは、結露水を空気との接触面積を拡大させるように拡散させて流動させることを言う。
【００１４】
つまり、排気ダクトで発生する結露水の量が多くなっても、水止め部にて本体ケーシング側に流動するのを確実に防止できるように、例えば、水止め部の高さを高くする等により、水止め部にて留めることが可能な結露水の量を多くすることが考えられる。
しかしながら、そのように水止め部にて留めることが可能な結露水の量を多くすると、水止め部にて留められている結露水が、次に排気ファンが作動されて新たに結露水が発生するまでに完全に乾き切らない状態が起こり易くなり、このような状態が繰り返されると、ダクト接続部内における水止め部よりも通風方向下流側の箇所に生じる水垢状堆積物の量が多くなる。
そして、本体ケーシングの外部であっても、水垢状堆積物の量が多くなると、浴室乾燥機が停止されているとき等に、水垢状堆積物から発生する臭気が浴室内に流れ込んで、浴室の使用者に不快感を与える虞がある。
【００１５】
そこで、本特徴構成によれば、上述のように拡散流動体が設けられているので、水止め部にて留める結露水の量を制限して、ダクト接続部内における水止め部よりも通風方向下流側の箇所に生じる水垢状堆積物の量を少なくしながら、水止め部により留められなくなって、結露水が本体ケーシング内に流れ込んでも、本体ケーシング内に水垢状堆積物が生じるのを抑制することができるのである。
【００１６】
第３特徴構成は、上記第２特徴構成に加えて、
前記拡散流動体が、上下方向に貫通する多数の孔を備えた多孔状に構成されている点にある。
【００１７】
即ち、多孔状の拡散流動体の多数の孔を空気が通過するので、拡散流動体を拡散しながら流動する結露水の気化がより一層促進されることになり、滴下する結露水の量がより一層少なくなる。
従って、ダクト接続部における水止め部よりも通風方向下流側の箇所に生じる水垢状堆積物の量を少なくしながら、本体ケーシング内に水垢状堆積物が生じるのを更に抑制することができる。
【００１８】
第４特徴構成は、上記第２又は第３特徴構成に加えて、
前記本体ケーシングの側部に、排気口が設けられ、
前記ダクト接続部が、内部が前記排気口に連通する状態で前記本体ケーシングの側部に備えられて、前記排気ダクトを連通接続するダクト接続口を側部に備えた箱状の排気導風ボックスにて構成され、
前記排気導風ボックスの底面が、平面状に構成され、
前記水止め部が、長手方向を前記排気口からの空気の通風方向に交差する方向に沿わせた姿勢で、前記底面上に設けられた棒状の堰き止め体にて構成され、
前記堰き止め体の上部が、前記堰き止め体の長手方向に沿って凹凸状になるように構成されている点にある。
【００１９】
即ち、棒状の堰き止め体により、結露水を排気導風ボックスの平面状の底面に薄く拡げた状態で堰き止めることができるので、堰き止め体により堰き止められた結露水が気化し易くなり、その結露水に起因した水垢状堆積物が生じるのが抑制される。
結露水の発生量が多くなって、堰き止め体により堰き止められた結露水の高さが堰き止め体の凹凸状の上部における複数の凹部の底に達すると、結露水が複数の凹部を越えて、排気口に向かってその排気口の横幅方向に拡がって流動する。
そして、そのように排気口の横幅方向に拡がって流動してきた結露水は、多孔状の拡散流動体を伝って流動することになるが、結露水は元々排気口の横幅方向に拡がって流動してくるので、拡散流動体では複数の孔により更に細かく分かれて流動することになる。
このように拡散流動体を分かれて流動する結露水は、表面積がより一層大きくなるので、気化がより一層促進されることになり、拡散流動体から滴下する結露水の量を更に少なくすることができる。
従って、ダクト接続部内における水止め部よりも通風方向下流側の箇所に生じる水垢状堆積物の量を更に少なくしながら、本体ケーシング内に水垢状堆積物が生じるのを更に抑制することができる。
【００２０】
第５特徴構成は、上記第４特徴構成に加えて、
前記排気口に、その排気口を開閉可能なシャッタが設けられ、
前記堰き止め体が、前記シャッタに対して前記通風方向の下流側近傍に位置させて設けられている点にある。
【００２１】
即ち、シャッタにより、風が屋外から排気ダクトを通って本体ケーシング内に流れ込む逆風が抑制されるので、ダクト接続部内における水止め部よりも通風方向下流側の箇所に、結露水に起因する水垢状堆積物が生じても、その堆積物から発生する臭気が排気口から本体ケーシング内に流れ込むのが抑制される。
従って、ダクト接続部内における水止め部よりも通風方向下流側の箇所に、結露水に起因する水垢状堆積物が生じても、その水垢状堆積物から発生する臭気が本体ケーシングを通って浴室内に流れ込むのを抑制することができる。
【００２２】
第６特徴構成は、上記第１〜第５特徴構成のいずれか１つに加えて、
前記グリル部に、吹出口が備えられ、
前記本体ケーシング内に、前記吸込口から吸い込んだ空気を前記吹出口から吹き出すように通風作用する循環ファン、及び、前記循環ファンにより通風される空気を加熱する暖房用加熱手段が設けられている点にある。
【００２３】
即ち、循環ファンが作動されると共に暖房用加熱手段が加熱作動されると、浴室内の空気が吸込口から吸い込まれて暖房用加熱手段にて加熱された後、吹出口から浴室内に吹出される形態で、浴室内の空気が循環されることになり、浴室内が暖房される。
従って、浴室内を暖房する機能を備えた、所謂、浴室暖房乾燥機において、排気ダクトが先上がり状に施工された場合でも、排気ダクト内で発生した結露水が本体ケーシング内に流れ込むのを抑制することができる。
【図面の簡単な説明】
【００２４】
【図１】浴室暖房乾燥機の浴室への設置状態を示す斜視図
【図２】浴室暖房乾燥機の概略構成図及び暖房乾燥モードでの熱媒の流れを示す図
【図３】浴室暖房乾燥機の概略構成図及び戻り水加熱処理での熱媒の流れを示す図
【図４】堰き止め体及び排気導風ボックスの設置状態を示す浴室暖房乾燥機要部の斜視図
【図５】堰き止め体、網状体及び戻り水加熱用熱交換器の設置状態を示す浴室暖房乾燥機要部の斜視図
【図６】暖房乾燥モードでの制御動作のフローチャートを示す図
【図７】換気モードでの制御動作のフローチャートを示す図
【図８】涼風モードでの制御動作のフローチャートを示す図
【発明を実施するための形態】
【００２５】
以下、図面に基づいて、本発明を浴室乾燥機の一例である浴室暖房乾燥機に適用した場合の実施形態を説明する。
図１及び図２に示すように、浴室暖房乾燥機は、装置本体Ｍと、その装置本体Ｍに加熱した熱媒を循環供給する熱源機Ｇと、浴室暖房乾燥機の運転を制御する制御手段としての運転制御部Ｃと、その運転制御部Ｃに各種制御指令を指令する浴室リモコンＲ１及び脱衣室リモコンＲ２とを備えて構成されている。浴室リモコンＲ１は、浴室Ｂ内に備えられ、脱衣室リモコンＲ２は、浴室Ｂに隣接する脱衣室に備えられる。
【００２６】
装置本体Ｍは、本体ケーシング１内に、各種機器を装備して構成され、その本体ケーシング１の下部には、吸込口３及び吹出口４を横並び状に備えたグリル部２が着脱自在に備えられ、本体ケーシング１の側部には、排気ダクト５（図１参照）を連通接続するためのダクト接続部Ｅが備えられている。
説明を加えると、本体ケーシング１は、平面視形状が概ね矩形状で、下方が略全体にわたって開口した概ね直方体形状の箱状に構成され、その本体ケーシング１内に、吸込口３から吸い込んだ空気を吹出口４から吹き出すように通風作用する循環ファン６、吸込口３から吸い込んだ空気をダクト接続部Ｅを通して本体ケーシング１外に排出する排気ファン７、循環ファン６により通風される空気を熱源機Ｇから熱媒循環路８を通して循環供給される熱媒にて加熱する暖房用熱交換器９（暖房用加熱手段に相当する）等が装備されている。
グリル部２は、本体ケーシング１の下部の開口部を塞ぐ状態で、本体ケーシング１の下部に着脱自在に装備される。
【００２７】
そして、図１に示すように、装置本体Ｍは、グリル部２が下面となる姿勢で、そのグリル部２を天井板１０にて形成される浴室Ｂの天井面に位置させた状態で、天井板１０の開口を通して浴室Ｂの天井裏に配置される。尚、装置本体Ｍは、吊り金具１１にて、天井スラブ等に吊り下げ支持される。
又、ダクト接続部Ｅに接続された排気ダクト５は、浴室Ｂの天井裏を這わして先端を外壁等から屋外に臨ませるように施工される。
【００２８】
図２、図４及び図５に示すように、本発明では、ダクト接続部Ｅに、排気ダクト５内で発生した結露水Ｗが本体ケーシング１の内方側に流動するのを阻止する水止め部Ｄが設けられている。
又、水止め部Ｄから本体ケーシング１の内方側に溢れた結露水Ｗを本体ケーシング１内に流動させる拡散流動体Ｎが、本体ケーシング１の内側面から内方側に突出する状態で設けられ、その拡散流動体Ｎが、水止め部Ｄから溢れた水を、本体ケーシング１の内方側ほど下位となる形態で傾斜する傾斜面に沿って拡散流動させるように構成されている。
図２及び図５に示すように、この実施形態では、ダクト接続部Ｅを通って本体ケーシング１内に滴下する結露水Ｗを受け止めると共に、受け止めた結露水Ｗを加熱する戻り水加熱手段Ｈが設けられている。その戻り水加熱手段Ｈが、熱源機Ｇにより加熱された熱媒が熱媒循環路８を通して循環供給される銅製の戻り水加熱用熱交換器１２にて構成され、拡散流動体Ｎから滴下する結露水Ｗを受け止めるように設けられている。
【００２９】
次に、浴室暖房乾燥機の各部について、説明を加える。
図２及び図４に示すように、本体ケーシング１の４面の側面部のうちの１側面部（側部に相当する）に、長方形状の排気口１３が形成されている。
そして、この実施形態では、ダクト接続部Ｅが、内部が排気口１３に連通する状態で本体ケーシング１における排気口１３が形成された一側面部（側部に対応する）に備えられて、排気ダクト５を連通接続するダクト接続口１５を側部に備えた箱状の排気導風ボックス１４にて構成されている。
この排気導風ボックス１４は、四方の側部のうちの１側部が全面にわたって開口した概ね直方体形状の箱状に構成され、開口した側部に隣接する側部に、ダクト接続口１５が形成されている。
【００３０】
図４に示すように、本体ケーシング１の排気口１３は、その開口縁の４辺夫々が、本体ケーシング１の長方形状の側面部の４辺夫々と平行になる状態で、本体ケーシング１の側面部に開口されている。
そして、図２及び図５に示すように、排気導風ボックス１４が、その底面の前端縁を排気口１３の下縁部に同高さで沿わせた状態で、本体ケーシング１の側面部に気密状に取り付けられる。
つまり、装置本体Ｍが浴室Ｂの天井裏に配設された状態では、排気導風ボックス１４の底面は、概ね水平方向に沿う平面状に構成されていることになる。ここで、排気導風ボックス１４の平面状の底面において、排気口１３の開口縁の下縁部の延びる方向に沿う方向（排気口１３から吐出される空気の通風方向に直交する方向に相当する）を、横幅方向と記載する。
【００３１】
図２及び図４に示すように、排気口１３には、その排気口１３を開閉可能な板状の排気口シャッタ１７が設けられている。
この排気口シャッタ１７は、排気口１３の上縁部に沿う横方向の揺動軸心周りに揺動自在に垂下状態で設けられている。そして、この排気口シャッタ１７は、本体ケーシング１内から排気口１３に向かう空気の流れが無い状態では、自重により垂れ下がって排気口１３を閉じ、本体ケーシング１内から排気口１３に向かう空気の流れが有る状態では、その風圧により本体ケーシング１の外方側に揺動して、排気口１３を開くように構成されている。又、排気口シャッタ１７は、自重により垂れ下がった状態から本体ケーシング１の内方側への揺動が阻止されるように構成されており、風が屋外から排気ダクト５を通って本体ケーシング１内に流れ込む逆風を防止する構成となっている。
【００３２】
図２に示すように、本体ケーシング１の内部に、中抜き矢印にて示す如く吸込口３を通して浴室Ｂ内の空気を吸い込んで吹出口４を通して吹き出すための循環通風路１８が、導風板１６により区画形成されている。この循環通風路１８は、導風板１６により、本体ケーシング１の内部における排気口１３が臨む空間部分と区画されている。
そして、この循環通風路１８内に、循環ファン６が、吸込口３に吸込み作用すると共に、その吸込口３から吸い込んだ空気を吹出口４に向けて吐出するように通風作用する状態で設けられている。
【００３３】
暖房用熱交換器９が、循環通風路１８内における循環ファン６よりも通風方向上流側に設けられて、熱源機Ｇから循環供給される熱媒との熱交換により、循環通風路１８内を通風する空気を加熱するよう構成されている。ちなみに、暖房用熱交換器９は、一対の熱交換器部分にて構成され、これら一対の熱交換部分が正面視でＬ字状に配設されている。
つまり、循環ファン６の通風作用により、吸込口３を通して吸い込まれた浴室Ｂ内の空気が、暖房用熱交換器９にて加熱された後、吹出口４を通して浴室Ｂ内に吹き出されるように構成されており、これにより、浴室Ｂ内が暖房されるようになっている。
【００３４】
吹出口４には、電動モータ（図示省略）により揺動駆動される可動ルーバ１９が設けられ、この可動ルーバ１９により、吹出口４から浴室Ｂ内に吹き出される空気の風向が変更可能なように構成されている。
【００３５】
図２、図４及び図５に示すように、排気ファン７は、下面にファン吸込口７ｉを有し且つ側周面にファン吐出口７ｓを有するファンケース７ｃと、そのファンケース７ｃ内に垂直方向の軸心回りに回転自在に支持された羽根体７ｆと、ファンケース７ｃの上面に配置されて、羽根体７ｆを回転駆動する電動モータ７ｍ等を備えて構成されている。そして、この排気ファン７が、そのファン吸込口７ｉを下向きに向け且つファン吐出口７ｓを排気口１３に連通接続した状態で、本体ケーシング１の内部において、排気口１３が形成された内側面と導風板１６との間の部分に設けられている。
図示を省略するが、排気口１３が形成された内側面と導風板１６との間の排気ファン７が配設された空間部分は、循環通風路１８内における暖房用熱交換器９よりも通風方向上流側の部分に連通するように構成されている。
【００３６】
そして、循環ファン６が作動されている状態で、排気ファン７が作動されると、循環ファン６の通風作用により浴室Ｂから吸い込まれた空気の一部が、暖房用熱交換器９により加熱される前に排気ファン７の通風作用により分流され、それに伴う風圧により排気口シャッタ１７が開かれて、分流された空気が排気口１３から排気導風ボックス１４及び排気ダクト５を通して屋外に排出される。
又、循環ファン６が停止されている状態で、排気ファン７が作動されると、排気ファン７の通風作用により浴室Ｂ内の空気が吸込口３を通して吸い込まれ、それに伴う風圧により排気口シャッタ１７が開かれて、浴室Ｂ内の空気が排気口１３から排気導風ボックス１４及び排気ダクト５を通して屋外に排出される。
【００３７】
次に、水止め部Ｄ、拡散流動体Ｎ及び戻り水加熱用熱交換器１２について、説明を加える。
図４及び図５に示すように、この実施形態では、水止め部Ｄが、長手方向を排気導風ボックス１４の平面状の底面の横幅方向に沿わせた姿勢で、排気導風ボックス１４の底面上に設けられた棒状の堰き止め体２０にて構成されている。
この堰き止め体２０の長さは、排気導風ボックス１４の対向する内側面同士の間隔と略同一になるように構成されている。
又、堰き止め体２０の底面は平面状に構成され、その堰き止め体２０の上部には、堰き止め体２０の幅方向に貫通する溝状の複数の凹部２０ｄが長手方向に沿って等間隔で形成されて、堰き止め体２０の上部が、堰き止め体２０の長手方向に沿って凹凸状になるように構成されている。尚、堰き止め体２０における複数の凹部２０ｄ夫々の底面の高さは、互いに同一であり、その高さは、発生した結露水Ｗの一部を堰き止めることが可能な高さに設定されている。
更に、堰き止め体２０における幅方向の一方側（後方側）の面は、底面に垂直な垂直面に構成され、他方側（前方）の面は、複数の凹部２０ｄの底面の前端縁から遠ざかるほど下方となる傾斜状（以下、前下がり状と記載する場合がある）で当該前端縁から延びる傾斜面２０ｓに構成されている。
【００３８】
そして、上述のように構成された堰き止め体２０が、その前下がり状の傾斜面２０ｓの先端を本体ケーシング１の内方側に向けて排気口１３の下縁部に沿わせ、且つ、その長手方向を排気導風ボックス１４の底面の横幅方向に沿わせた姿勢で、排気導風ボックス１４の底面上に設けられている。
このように堰き止め体２０が設けられた状態では、堰き止め体２０の長手方向の両端面夫々が排気導風ボックス１４の一対の対向する内側面夫々に密接するので、それら堰き止め体２０の両端面夫々と排気導風ボックス１４の一対の内側面夫々との間が水密状に封止されることになる。
【００３９】
図５に示すように、この実施形態では、拡散流動体Ｎが、外形形状が矩形板状の網状体２１にて構成されて、上下方向に貫通する多数の孔を備えた多孔状に構成されている。ちなみに、網状体２１は、例えば、銅線が網状に織られて形成された銅製のものを用いると、銅の殺菌作用及び菌発生抑制作用により、結露水Ｗ中に雑菌が発生するのを抑制できるので好ましい。
図２及び図５に示すように、この矩形板状の網状体２１が、四辺の側縁部のうちの一側縁部（後方の側縁部と記載する場合がある）を堰き止め体２０の傾斜面２０ｓの先端に当接させた状態で、その後方の側縁部に対向する前方の側縁部を後方の側縁部よりも低位置に位置させた前下がり状の傾斜姿勢で設けられている。つまり、上述したように、網状体２１にて構成される拡散流動体Ｎが、堰き止め体２０から溢れた水を、本体ケーシング１の内方側ほど下位となる形態で傾斜する傾斜面に沿って拡散流動させるように構成されていることになる。尚、図５に示すように、排気ファン７のファンケース７ｃには、ファン吐出口７ｓが側周面から下面に延長されて形成され、そのファンケース７ｃの下面のファン吐出口７ｓの延長部分を利用して、網状体２１が、排気ファン７のファンケース７ｃ外の下方に突出するように設けられている。
【００４０】
図５に示すように、戻り水加熱用熱交換器１２は、蛇行状に成形された銅製の伝熱管１２ｐと、その伝熱管１２ｐと伝熱可能な状態で、その伝熱管１２ｐを覆うように伝熱管１２ｐに上部に付設された平板状の銅製の伝熱板１２ｂ等を備えて構成されている。
そして、図２及び図５に示すように、この戻り水加熱用熱交換器１２が、伝熱板１２ｂを概ね水平方向に沿わせて上向きに向けた姿勢で、網状体２１から滴下する水を受け止めることが可能な位置に位置させて、網状体２１の下方に配設されている。
【００４１】
従って、排気導風ボックス１４のダクト接続口１５に接続された排気ダクト５が、先上がり状態で浴室Ｂの天井裏に設けられた場合に、排気ダクト５内で発生した結露水Ｗが装置本体Ｍ側に流動してきても、図５に示すように、堰き止め体２０により堰き止められて、排気導風ボックス１４の平面状の底面に溜まる。このように排気導風ボックス１４の平面状の底面に溜まった結露水Ｗは、底面の横幅方向に広い範囲にわたって薄く拡がるので、極力速く気化させることができる。
図５に示すように、結露水Ｗの発生量が多くなって、堰き止め体２０により堰き止められた結露水Ｗの高さが堰き止め体２０の溝状の凹部２０ｄの底面に達すると、その凹部２０ｄを越えて本体ケーシング１の内方側に向かって傾斜面２０を流動する。ここで、複数の凹部２０ｄが堰き止め体２０の長手方向に分散して設けられているので、堰き止め体２０を越えた結露水Ｗは、傾斜面２０ｓを堰き止め体２０の長手方向、即ち、排気口１３の横幅方向に分散して拡がって流れる。
【００４２】
そして、そのように排気口１３の横幅方向に分散して拡がって堰き止め体２０の傾斜面２０ｓを流れてきた結露水Ｗは、網状体２１では網状体２１を形成する線材を伝うことにより、排気口１３の横幅方向に更に細かく分散して拡散し、例えば、網状体２１を液滴状で伝って流れることになる。
このように網状体２１を液滴状等の形態で拡散して伝う結露水Ｗは、表面積が更に大きくなって気化が促進されるので、網状体２１から滴下する結露水Ｗの量を少なくすることができる。
【００４３】
網状体２１から滴下した結露水Ｗは、戻り水加熱用熱交換器１２の伝熱板１２ｂ上に受け止められて伝熱板１２ｂ上に溜まり、伝熱管１２ｐを通流する熱媒により加熱されて気化が促進されるので、結露水Ｗがグリル部２の裏面に滴下するのが抑制される。
しかも、銅は殺菌作用及び菌発生抑制作用を有するので、戻り水加熱用熱交換器１２の伝熱板１２ｂ上に溜まっている結露水Ｗは、銅製の伝熱板１２ｂにより殺菌されることになる。
【００４４】
要するに、排気ダクト５が先上がり状態で浴室Ｂの天井裏に設けられた場合でも、堰き止め体２０、網状体２１及び戻り水加熱用熱交換器１２の相乗作用により、本体ケーシング１外の排気導風ボックス１４内に生じる水垢状堆積物の量を少なくしながら、グリル部２の裏面等、本体ケーシング１内に水垢状堆積物が生じるのを可及的に抑制することができる。
しかも、網状体２１や戻り水加熱用熱交換器１２を銅製とすることにより、銅の殺菌作用及び菌発生抑制作用により、結露水Ｗ中の雑菌の発生を抑制することができるので、少量ではあるものの本体ケーシング１内に水垢状堆積物が発生しても、その水垢状堆積物からの臭気の発生を抑制することができる。
【００４５】
図２に示すように、熱源機Ｇには、加熱した熱媒（具体的には加熱された温水）を循環流動させる熱媒循環路８が接続されている。この熱源機Ｇは、周知であるので、詳細な説明及び図示を省略して、簡単に説明すると、熱媒循環路８に設けられた熱媒加熱用熱交換器と、その熱媒加熱用熱交換器を加熱するバーナと、熱媒循環路８を通して熱媒を循環流動させる熱媒循環ポンプ等を備えて構成されている。
そして、熱源機Ｇは、バーナを燃焼させると共に、熱媒循環ポンプを作動させる熱媒加熱運転を実行可能に構成されている。
又、この熱源機Ｇは、熱媒加熱運転を停止するときは、バーナを消火させ、そのバーナの消火後に所定のアフターパージ時間（例えば、９０秒間）が経過すると熱媒循環ポンプを停止させるように構成されている。
【００４６】
図２に示すように、熱媒循環路８の往路２３における熱媒流動方向下流側部分が、往路主分岐路２３ｍと往路副分岐路２３ｓとの２系統に分岐され、往路主分岐路２３ｍが暖房用熱交換器９の熱媒入口に接続され、往路副分岐路２３ｓが戻り水加熱用熱交換器１２の熱媒入口に接続されている。そして、往路２３と２系統の往路主分岐路２３ｍ及び往路副分岐路２３ｓとが、３ポート型の往路側熱動弁２５にて接続されている。
熱媒循環路８の復路２４における熱媒流動方向上流側部分が、復路主分岐路２４ｍと復路副分岐路２４ｓとの２系統に分岐され、復路主分岐路２４ｍが暖房用熱交換器９の熱媒出口に接続され、復路副分岐路２４ｓが戻り水加熱用熱交換器１２の熱媒出口に接続されている。そして、２系統の復路主分岐路２４ｍ及び復路副分岐路２４ｓと復路２４とが、３ポート型の復路側熱動弁２６にて接続されている。
更に、熱媒循環路８の往路２３の往路副分岐路２３ｓには、この往路副分岐路２３ｓを流動する熱媒の通流量を調整自在な熱媒流量調整弁２７が設けられている。
【００４７】
往路側熱動弁２５が開弁状態では、往路２３と２系統の往路主分岐路２３ｍ及び往路副分岐路２３ｓ夫々とが連通接続され、一方、往路側熱動弁２５が第１閉弁状態では、往路２３と往路副分岐路２３ｓとが連通接続され、且つ、往路２３と往路主分岐路２３ｍとの連通が遮断され、第２閉弁状態では、往路２３と２系統の往路副分岐路２３ｓ及び往路主分岐路２３ｍ夫々との連通が遮断されるように構成されている。
又、復路熱動弁２６が開弁状態では、２系統の復路主分岐路２４ｍ及び復路副分岐路２４ｓ夫々と復路２４とが連通接続され、一方、復路側熱動弁２６が第１閉弁状態では、復路副分岐路２４ｓと復路２４とが連通接続され、且つ、復路主分岐路２４ｍと復路２４との連通が遮断され、第２閉弁状態では、２系統の復路主分岐路２４ｍ及び復路副分岐路２４ｓ夫々と復路２４との連通が遮断されるように構成されている。
【００４８】
そして、往路側熱動弁２５及び復路側熱動弁２６の両方を開弁すると、図２に示すように、熱源機Ｇにて加熱された熱媒（例えば、８０℃）が、熱媒循環路８を通して、暖房用熱交換器９及び戻り水加熱用熱交換器１２の両方に循環供給される。この状態で、熱媒流量調整弁２７の開度調整により、熱源機Ｇにより循環供給される熱媒の流量が調整されて、暖房用熱交換器９の加熱量が調整される。
又、往路側熱動弁２５及び復路側熱動弁２６の両方を第１閉弁状態にすると、図３に示すように、熱源機Ｇにて加熱された熱媒が、熱媒循環路８を通して、戻り水加熱用熱交換器１２だけに循環供給される。
又、図示を省略するが、往路側熱動弁２５及び復路側熱動弁２６の両方を第２閉弁状態にすると、暖房用熱交換器９及び戻り水加熱用熱交換器１２の両方への熱媒の循環供給が遮断される。
尚、熱源機Ｇから供給される熱媒の一部が戻り水加熱用熱交換器１２に分流されても、浴室Ｂを暖房するための暖房用熱交換器９による空気の加熱能力に極力影響を与えないようにするために、熱媒流量調整弁２７により、往き側副分岐路２３ｓ、戻り水加熱用熱交換器１２、戻り側副分岐路２４ｓの経路で流動する熱媒の流量が絞られている。
【００４９】
つまり、往路側熱動弁２５及び復路側熱動弁２６夫々の開閉制御により、暖房用熱交換器９や戻り水加熱用熱交換器１２への熱媒の循環供給を断続して、暖房用熱交換器９や戻り水加熱用熱交換器１２を加熱作動させる状態と加熱作動を停止させる状態とに切換可能に構成されている。
【００５０】
次に、運転制御部Ｃの制御動作について説明する。
運転制御部Ｃは、マイクロコンピュータを備えて構成されて、浴室リモコンＲ１や脱衣室リモコンＲ２からの指令に基づいて、次に述べる種々の運転モードを実行するように構成されている。
即ち、運転制御部Ｃが、排気ファン７を作動させる排気ファン作動モードを実行可能に構成されている。
そして、運転制御部Ｃが、排気ファン作動モードの実行中、又は、排気ファン作動モードの実行後に、戻り水加熱用熱交換器１２を加熱作動させる戻り水気化処理を実行するように構成されている。
【００５１】
この実施形態では、運転制御部Ｃが、循環ファン６及び排気ファン７を共に作動させ、且つ、暖房用熱交換器９を加熱作動させる暖房乾燥モードを排気ファン作動モードとして実行し、並びに、暖房乾燥モードの実行中に、戻り水気化処理を実行するように構成されている。
又、運転制御部Ｃが、暖房用熱交換器９の加熱作動を停止した状態で、排気ファン７を作動させる換気モードを排気ファン作動モードとして実行し、並びに、換気モードの実行中に、戻り水気化処理を実行するように構成されている。
更に、運転制御部Ｃが、暖房用熱交換器９の加熱作動を停止した状態で、循環ファン６及び排気ファン７を共に作動させる涼風モードを排気ファン作動モードとして実行し、並びに、涼風モードの終了後に、戻り水気化処理を実行するように構成されている。
尚、運転制御部Ｃは、循環ファン６を作動させ、且つ、暖房用熱交換器９を加熱作動させる暖房モードを実行可能なように構成されているが、この暖房モードの実行中及び実行後のいずれにおいても戻り水気化処理を実行しないように構成されている。
【００５２】
暖房乾燥モードでは、循環される浴室Ｂの空気の一部が暖房用熱交換器９を通る前に分流されて排気ダクト５を通して屋外に排気されつつ、浴室Ｂ内の空気が暖房用熱交換器９にて加熱されながら循環されるので、浴室Ｂ内の温度が上昇すると共に、相対湿度が低下することになり、浴室Ｂ内の衣類の乾燥が行われると共に、浴室Ｂ内の乾燥が行われる。
換気モードでは、脱衣室等、浴室Ｂに隣接する部屋の空気が浴室Ｂのギャラリー（図示省略）を通して浴室Ｂ内に取り込まれつつ、浴室Ｂ内の湿った空気が排気ダクト５を通して屋外に排気されるので、浴室Ｂ内の換気が行われると共に浴室Ｂ内の乾燥が行われる。
涼風モードでは、循環される浴室Ｂの空気の一部が分流されて排気ダクト５を通して屋外に排気されつつ、浴室Ｂ内の空気が暖房用熱交換器９にて加熱されることなく循環されるので、浴室Ｂ内に居る人に涼風感を与えることができる。
【００５３】
次に、図６〜図８に示すフローチャートに基づいて、上記の各モードを実行するときの運転制御部Ｃの制御動作を説明する。
図示を省略するが、浴室リモコンＲ１及び脱衣室リモコンＲ２には、暖房乾燥モードを指令する暖房乾燥スイッチ、換気モードを指令する換気スイッチ、涼風モードを指令する涼風スイッチ、暖房モードを指令する暖房スイッチ、各モードの実行時間を変更設定可能なタイマースイッチ、各モードの停止を指令する停止スイッチ、種々の情報を表示する表示部等が設けられている。
【００５４】
先ず、図６に基づいて、暖房乾燥モードにおける制御動作のフローチャートを説明する。
運転制御部Ｃは、暖房乾燥スイッチが押されると、循環ファン６及び排気ファン７を共に作動させ、往路側熱動弁２５及び復路側熱動弁２６共に開弁し、更に、熱源機Ｇを運転させて熱媒加熱運転を実行させ、続いて、タイマースイッチにて設定されたタイマー時間による暖房乾燥運転タイマーを作動させる（ステップ＃１〜３）。
つまり、戻り水気化処理が行われつつ、暖房乾燥モードが実行される。
従って、図２に示すように、暖房用熱交換器９及び戻り水加熱用熱交換器１２の両方に熱媒が循環供給されるので、循環通風路１８を流動する浴室Ｂの空気が暖房用熱交換器９にて加熱され、戻り水加熱用熱交換器１２においては、その伝熱板１２ｂ上に溜まっている結露水Ｗが加熱されて、結露水Ｗの気化が促進される。
【００５５】
続いて、ステップ＃４において、暖房乾燥運転タイマー時間が経過するか否かを判定して、暖房乾燥運転タイマー時間が経過すると、循環ファン６及び排気ファン７を共に停止させ、往路側熱動弁２５及び復路側熱動弁２６夫々を第１閉弁状態にし、更に、熱源機Ｇを停止させて熱媒加熱運転を停止させ、続いて、予め設定されたアフターパージタイマー時間によるアフターパージタイマーを作動させて、アフターパージタイマー時間が経過するのを待つ（ステップ＃４〜７）。
つまり、循環ファン６及び排気ファン７が共に停止されると共に、暖房用熱交換器９への熱媒の循環供給が停止されるので、暖房乾燥モードが終了する。
ステップ＃７において、アフターパージタイマー時間が経過したと判定すると、往路側熱動弁２５及び復路側熱動弁２６夫々を第２閉弁状態にして、リターンする（ステップ＃８）。つまり、戻り水気化処理が終了する。
【００５６】
熱源機Ｇを停止させて熱媒加熱運転を停止させるときは、バーナを消火させた後、アフターパージタイマー時間が経過するまでは熱媒循環ポンプの作動が継続されるので、熱源機Ｇからは、バーナにより加熱されないものの余熱を有する熱媒が循環供給される。つまり、図３に示すように、そのように暖房乾燥モードが終了してからアフターパージタイマー時間が経過する間は、循環ファン６及び排気ファン７が共に停止されているものの、戻り水加熱用熱交換器１２への熱媒の循環供給が継続されて、戻り水気化処理が継続されるので、戻り水加熱用熱交換器１２の伝熱板１２ｂ上に溜まっている結露水Ｗが加熱されて、結露水Ｗの気化が促進される。
【００５７】
尚、図示を省略するが、グリル部２の吸込口３付近には、その吸込口３から吸い込まれた浴室Ｂ内の空気の温度を浴室Ｂ内の温度として検出する浴室温度センサが設けられている。そして、運転制御部Ｃは、暖房乾燥モードの実行中は、浴室温度センサの検出温度が予め設定された目標温度になるように、往路側熱動弁２５及び復路側熱動弁２６を制御する。
又、運転制御部Ｃは、暖房乾燥モードの実行中に停止スイッチが押されると、図６に示すフローチャートのステップ＃５に進み、以降の制御動作を実行する。又、運転制御部Ｃは、暖房乾燥モードの実行中に、他のモードのスイッチが押されると、押されたスイッチに対応するモードを実行する。
【００５８】
次に、図７に基づいて、換気モードにおける制御動作のフローチャートを説明する。
換気スイッチが押されると、排気ファン７を作動させ、往路側熱動弁２５及び復路側熱動弁２６夫々を第１閉弁状態にし、続いて、タイマースイッチにて設定されたタイマー時間による換気運転タイマーを作動させ、続いて、熱源機Ｇを運転させて熱媒加熱運転を実行させる（ステップ＃１１〜１４）。
続いて、予め設定されたタイマー時間による熱源機運転タイマーを作動させて、熱源機運転タイマー時間が経過するのを待ち、熱源機運転タイマー時間が経過すると、熱源機Ｇを停止させて熱媒加熱運転を停止させ、続いて、アフターパージタイマー及び予め設定されたタイマー時間による熱源機停止タイマーを作動させて、熱源機停止タイマー時間が経過するのを待ち、熱源機停止タイマー時間が経過すると（ステップ＃１５〜２０）、ステップ＃１５に戻る。
尚、熱源機運転タイマー時間や熱源機停止タイマー時間は、予め設定されて、運転制御部Ｃのメモリーに記憶されている。ちなみに、熱源機運転タイマー時間は、例えば、５分間に設定され、熱源機停止タイマー時間は、アフターパージタイマー時間よりも長い時間、例えば、５分間に設定される。
【００５９】
つまり、戻り水気化処理が断続的に繰り返し行われつつ、換気モードが実行される。
従って、戻り水加熱用熱交換器１２においては、その伝熱板１２ｂ上に溜まっている結露水Ｗが加熱されて、結露水Ｗの気化が促進される。
【００６０】
ステップ＃１６において、熱源機運転タイマー時間が経過するか否かを判定している間は、換気運転タイマー時間が経過するか否かも判定し（ステップ＃２１）、換気運転タイマー時間が経過すると、熱源機Ｇを停止させて熱媒加熱運転を停止させ、続いて、アフターパージタイマーを作動させ（ステップ＃２１〜２３）、続いて、ステップ＃２５に進んで、排気ファン７を停止させてから、アフターパージタイマー時間が経過するのを待つ（ステップ２５，２６）。
又、ステップ＃２０において、熱源機停止タイマー時間が経過するか否かを判定している間も、換気運転タイマー時間が経過するか否かを判定し（ステップ＃２４）、換気運転タイマー時間が経過すると、ステップ＃２５に進んで、排気ファン７を停止させてから、アフターパージタイマー時間が経過するのを待つ（ステップ２５，２６）。つまり、排気ファン７が停止されるので、換気モードが終了する。
そして、ステップ＃２６において、アフターパージタイマー時間が経過したと判定すると、往路側熱動弁２５及び復路側熱動弁２６夫々を第２閉弁状態にして、リターンする（ステップ＃２７）。つまり、戻り水気化処理が終了する。
【００６１】
換気モードの終了に伴い、戻り水加熱処理を終了すべく、熱源機Ｇを停止させて熱媒加熱運転を停止させるときは、バーナを消火させた後、アフターパージタイマー時間が経過するまでは熱媒循環ポンプの作動が継続されるので、熱源機Ｇからは、バーナにより加熱されないものの余熱を有する熱媒が循環供給される。つまり、換気モードが終了してからアフターパージタイマー時間が経過する間は、戻り水加熱用熱交換器１２への熱媒の循環供給が継続されて、戻り水気化処理が継続されることになり、戻り水加熱用熱交換器１２の伝熱板１２ｂ上に溜まっている結露水Ｗの気化が促進される。
【００６２】
次に、図８に基づいて、涼風モードにおける制御動作のフローチャートを説明する。
涼風スイッチが押されると、循環ファン６及び排気ファン７共に作動させ、続いて、タイマースイッチにて設定されたタイマー時間による涼風運転タイマーを作動させて、涼風運転タイマー時間が経過するのを待つ（ステップ＃３１〜３４）。
続いて、ステップ＃３４において、涼風運転タイマー時間が経過したと判定すると、循環ファン６及び排気ファン７共に停止させ、往路側熱動弁２５及び復路側熱動弁２６夫々を第１閉弁状態にし、更に、熱源機Ｇを運転させて熱媒加熱運転を開始する（ステップ＃３５）。
続いて、熱源機運転タイマーを作動させて、熱源機運転タイマー時間が経過するのを待ち、熱源機運転タイマー時間が経過すると、熱源機Ｇを停止させて熱媒加熱運転を停止させ、続いて、アフターパージタイマーを作動させて、アフターパージタイマー時間が経過するのを待ち、アフターパージタイマー時間が経過すると、往路側熱動弁２５及び復路側熱動弁２６夫々を第２閉弁状態にして、リターンする（ステップ＃３６〜４１）。
【００６３】
つまり、涼風モードが涼風運転タイマー時間の間実行され、その涼風モードが終了すると、戻り水加熱処理が開始される。
その戻り水加熱処理が開始されてから、熱源機運転タイマー時間が経過すると、熱源機Ｇが停止されて熱媒加熱運転が停止されるが、アフターパージタイマー時間が経過するまでは熱媒循環ポンプの作動が継続されるので、熱源機Ｇからは、バーナにより加熱されないものの余熱を有する熱媒が循環供給される。つまり、アフターパージタイマー時間が経過する間は、戻り水加熱用熱交換器１２への熱媒の循環供給が継続されて、戻り水気化処理が継続されることになり、戻り水加熱用熱交換器１２の伝熱板１２ｂ上に溜まっている結露水Ｗの気化が促進される。
【００６４】
〔別実施形態〕
次に別実施形態を説明する。
（イ）  水止め部Ｄの具体構成は、上記の実施形態において例示した如き形状の堰き止め体２０に限定されるものではない。
例えば、水止め部Ｄを上記の実施形態と同様に堰き止め体２０にて構成する場合でも、堰き止め体２０の上部を上記の実施形態のように凹凸状に構成するのに代えて、堰き止め体２０の上面を平面状に構成すると共に、その平面状の上面を梨地状等、表面粗度が大きくなるように構成しても良い。この場合、堰き止め体２０の上面の水の濡れ性が向上するので、結露水Ｗを堰き止め体２０の長手方向に拡げた状態で堰き止め体２０を越えさせて、網状体２１をその横幅方向の広い範囲にわたって伝わせることができるようになり、結露水Ｗの気化を効果的に促進させることができる。
又、水止め部Ｄを上記の実施形態と同様に堰き止め体２０にて構成する場合でも、堰き止め体２０の形状を、横断面形状が三角形、四角形等の棒状体としても良い。
又、排気導風ボックス１４の底面に、結露水Ｗを流入させて溜めることが可能な凹状の水溜め部を形成して、この水溜め部により水止め部Ｄを構成しても良い。
水止め部Ｄを設置する箇所となる排気導風ボックス１４の底面の形状は、上記の実施形態において例示した平面状に限定されるものではない。そして、水止め部Ｄは、排気導風ボックス１４の底面の形状に応じて、結露水Ｗの本体ケーシング１側への流動を適切に阻止できるように構成して設けることになる。
【００６５】
（ロ）  拡散流動体Ｎの具体構成は、上記の実施形態において例示した網状体２１に限定されるものではない。例えば、上記の実施形態と同様に、上下方向に貫通する多数の孔を備えた多孔状に構成する場合、例えば、円状や矩形状の孔を多数穿設したパンチングメタルを用いることができる。このように、拡散流動体Ｎをパンチングメタルにて構成する場合、結露水Ｗが多数の孔の間を分岐しながら流動することにより、結露水Ｗが拡散流動することになる。
あるいは、微細な孔を無数に有するセラミックス等のポーラス状（多孔質）体を用いることができる。
又、上記の実施形態では、拡散流動体Ｎ（具体的には、網状体２１）を前下がり状の傾斜姿勢で設けたが、水平に設けても良い。
【００６６】
（ハ）  上記の実施形態で設けた戻り水加熱用熱交換器１２を省略すると共に、戻り水気化処理を実行しないように構成しても良い。この場合は、水止め部Ｄから溢れる結露水Ｗの量を少なくするように、例えば、水止め部Ｄを構成する堰き止め体２０の高さを高くするのが好ましい。
又、戻り水加熱用熱交換器１２に加えて、更に、拡散流動体Ｎも省略しても良い。この場合は、排気ダクト５での結露水Ｗの発生量が多くなって、気化せずに残留して水止め部Ｄで留められる結露水Ｗの量が多くなっても、結露水Ｗが水止め部Ｄを溢れないように、例えば、水止め部Ｄを構成する堰き止め体２０の高さを高くするのが好ましい。
【００６７】
（ニ）  ダクト接続部Ｅの具体構成は、上記の実施形態において例示した排気導風ボックス１４に限定されるものではない。例えば、排気導風ボックス１４を省略して、本体ケーシング１に設けた排気口１３に排気ダクト５を直接接続するように構成して、ダクト接続部Ｅを排気口１３により構成しても良い。この場合は、排気口１３に水止め部Ｄを設けることになる。
【００６８】
（ホ）  排気口１３に設ける排気口シャッタ１７を電動式としても良い。この場合、排気口１３の閉塞性を向上することができるので、結露水Ｗが水止め部Ｄにて止められて溜まっていたとしても、その臭気が浴室Ｂ内に流れ込むのをより確実に防止することができる。
【００６９】
（ヘ）  暖房用熱交換器９及び戻り水加熱用熱交換器１２への熱媒の循環供給を各別に断続する構成として、上記の実施形態において設けた３ポート型の往路側熱動弁２５及び３ポート型の復路側熱動弁２６に代えて、往路主分岐路２３ｍ及び往路副分岐路２３ｓの夫々に２ポート型の熱動弁を設けて、これら２ポート型の２個の熱動弁により、熱媒が通流する往復路を切り換えたり、熱媒の循環を遮断するようにしても良い。
【００７０】
（ト）  本発明を適用可能な浴室乾燥機の具体例は、上記の実施形態において例示した浴室暖房乾燥機、即ち、排気ファン７に加えて、循環ファン６及び暖房用加熱手段としての熱媒循環式の暖房用熱交換器９を備えたものに限定されるものではない。例えば、循環ファン６及び暖房用加熱手段を備える場合でも、暖房用加熱手段として電気式の加熱手段を備えたものでも良い。
又、循環ファン６及び暖房用加熱手段を備えずに、浴室Ｂを換気することにより乾燥する機能のみを備えたものにも適用することができる。
【産業上の利用可能性】
【００７１】
以上説明したように、排気ダクトが先上がり状に施工された場合でも、排気ダクト内で発生した結露水が本体ケーシング内に流れ込むのを抑制し得る浴室乾燥機を提供することができる。
【符号の説明】
【００７２】
１    本体ケーシング
２    グリル部
３    吸込口
４    吹出口
５    排気ダクト
６    循環ファン
９    暖房用熱交換器（暖房用加熱手段）
７    排気ファン
１３  排気口
１４  排気導風ボックス
１５  ダクト接続口
１７  排気口シャッタ（シャッタ）
２０  堰き止め体
Ｄ    水止め部
Ｅ    ダクト接続部
Ｎ    拡散流動体
Ｗ    結露水（水）
【図１】
2013183872.tif 000003
【図２】
2013183872.tif 000004
【図３】
2013183872.tif 000005
【図４】
2013183872.tif 000006
【図５】
2013183872.tif 000007
【図６】
2013183872.tif 000008
【図７】
2013183872.tif 000009
【図８】
2013183872.tif 000010